(57)【要約】【課題】遊技状態を電源投入時のみ報知してそれ以外の場合には遊技者やホールに報知しない確変非報知機において確変大当り遊技中に電断し回復した場合にも現在の遊技状態を報知する。【解決手段】確変大当り遊技中において電源が発生しその後電断状態が回復したと判断された場合には、主制御基板１０２の信号送信部１０２Ｃから送信された遊技状態報知信号が受信部１０６Ｃで受信される。主制御基板１０２の信号送信部１０２Ｃから送信された遊技状態報知信号が受信部１０６Ｃで受信されると、現在の遊技状態が報知される。【選択図】      図１１
2008043372.tif 000002
【特許請求の範囲】
【請求項１】
遊技の主要な制御を司る主制御手段と、前記主制御手段からの制御信号に基づいて遊技の演出の制御を司るサブ制御手段と、前記主制御手段及び前記サブ制御手段に対して電力供給する電源手段と、を有する遊技機であって、
前記主制御手段は、遊技状態を報知させる遊技状態報知信号を前記サブ制御手段に送信する信号送信部を有し、
前記サブ制御手段は、前記遊技状態報知信号の受信に基づいて遊技状態を報知する報知部を有し、
前記電源手段の電源が投入されて前記電源手段から前記主制御手段に対して電力が供給される電源投入時、及び特別遊技中に前記電源手段から前記主制御手段に対して電力が供給されない電断状態が発生しかつ前記電断状態が解消した電断解消時には、前記信号送信部は前記報知部に遊技状態を報知させる遊技状態報知信号を送信し、前記報知部は前記遊技状態報知信号の受信に基づいて遊技状態を報知することを特徴とする遊技機。
【請求項２】
前記主制御手段は、前記特別遊技が確変大当りであるか通常大当りであるかを示す本図柄を備え、
特別遊技中に前記電源手段から前記主制御手段に対して電力が供給されない電断状態が発生しかつ前記電断状態が解消した電断解消時には、主制御手段は、前記本図柄に基づいて前記遊技状態を特定することを特徴とする請求項１の遊技機。
【請求項３】
サブ制御手段は、前記電源手段から前記主制御手段又は前記サブ制御手段の一方に対する電力の供給が瞬間的に停止される瞬間停電状態を識別する瞬停識別部を有し、
前記瞬停識別部により前記瞬間停電状態と識別された場合には、前記瞬間停電状態が解消しても前記報知部は遊技状態を報知しないことを特徴とする請求項２に記載の遊技機。
【請求項４】
前記信号送信部は、前記電源手段の電源投入時において前記遊技状態報知信号と共に電源投入識別信号を送信し、
前記サブ制御手段は、前記電源投入識別信号を受信する受信部を有し、
前記瞬停識別部は、前記受信部に前記電源投入識別信号が受信された状態で前記信号送信部から前記電源投入識別信号が送信された場合には、前記電源手段の前記電源投入時における前記報知部からの遊技状態の報知を中止させることを特徴とする請求項３に記載の遊技機。
【請求項５】
前記サブ制御手段は、前記電源手段の前記電源投入時において前記受信部が前記電源投入識別信号を受信した場合に前記受信部に受信された前記電源投入識別信号の受信回数をカウントするカウンタ部と、前記カウンタ部のカウント値を記憶する記憶部と、を有することを特徴とする請求項４に記載の遊技機。
【請求項６】
前記電源手段からの前記主制御手段に対する電力の供給が停止されたときから所定の時間が経過した場合には、前記カウンタ部は前記記憶部に記憶された前記電源投入識別信号の受信回数をゼロにすることを特徴とする請求項５に記載の遊技機。
【請求項７】
前記電源手段の電源が投入されて前記電源手段から前記主制御手段に対して電力が供給される電源投入時のみに遊技状態が確変状態であるか否かを報知し、電源投入時以外で遊技状態が確変状態である場合には、前記確変状態であることを報知しない確変非報知機であることを特徴とする請求項１乃至６のいずれか１項に記載の遊技機。
【発明の詳細な説明】
【技術分野】
【０００１】
本発明は、遊技の主要な制御を司る主制御手段と、主制御手段からの制御信号に基づいて遊技の演出の制御を司るサブ制御手段と、主制御手段及びサブ制御手段に対して電力を供給する電源手段と、を有する遊技機に関する。
【背景技術】
【０００２】
従来、遊技機には、いわゆるセブン機、羽根物、権利物、あるいはアレンジボール等と呼ばれる種々のゲーム内容のものが普及している。このうち、セブン機は、演出表示装置に大当り図柄が停止表示された場合に、通常の遊技状態と異なる特別遊技状態（大当り遊技状態）となるように設定されている。具体的には、演出表示装置にリーチ表示を経て大当り図柄が停止表示されると（例えば、「７７７」等の特定のゾロ目で構成される大当り図柄が停止表示されると）、特別遊技状態である大当り遊技状態に移行し、大入賞口が所定時間（例えば、２６秒）、所定回数（例えば、１５ラウンド）だけ開放されるように設定されている。そして、この種の遊技機の中には、演出表示装置にいわゆる確率変動図柄が停止表示されることに起因して、この演出表示装置に、その後、「大当り図柄」が停止表示される確率を高確率（高確率状態、確率変動状態、確変状態など）に変動させるものがある。すなわち、遊技機が高確率状態にある場合には、所定の条件が成立するまで（例えば、次回の大当りが成立するまで）、大当りが発生する確率（大当り図柄が停止表示される確率）が高確率に設定される。
【０００３】
ここで、従来の遊技機では、大当り遊技に至る確率が確変状態であるのか、低確率の通常状態であるかを遊技者に報知している。例えば、従来の遊技機では、演出表示装置に確変中と表示したり、背景画面が通常遊技状態とは明らかに異なる背景に設定（例えば、通状遊技状態の場合には青色の背景で、確変遊技状態では赤色の背景）したりすることにより、遊技者に報知していた。これにより、遊技者は、現在の大当り確率が確変状態であるのか、あるいは低確率の通常状態であるのかを知った上で遊技していた。
【０００４】
しかし、上記した遊技機が市場の大部分を占めるようになって、遊技者にとってはゲーム性が画一化し、あるいはマンネリ化し、遊技興趣を感じ難いものになってきていた。そこで、１ラウンドで例えば２６秒間だけ大入賞口が開閉しこれを１５ラウンド繰り返す大当りではなく、１ラウンドで例えば０．２秒間だけ大入賞口が開閉しこれを２ラウンドだけ繰り返す大当りを発生させて遊技状態を確変状態にする遊技機が登場している。
【０００５】
ところが、この種の遊技機では、確変状態に移行するのに大入賞口が０．２秒間２ラウンド開放するので、遊技者が大入賞口の開閉状態を見ると確変状態に移行したか否かを容易に知ることができる。
【０００６】
そこで、大入賞口が約０．２秒間開放するが、その後、確変状態に移行させず、低確率の通常状態に移行させる小当りとする場合を新たに設け、２ラウンドの確変大当りであったのか、あるいは２ラウンドの低確率小当りであるのかをわからなくする遊技機が提案されている。また、加えて、遊技状態が確変状態であるのか低確率の通状状態であるのかがわからない、いわゆる潜伏確変を搭載する遊技機も提案されている。この潜伏確変を備えた遊技機では、実際には１５ラウンドの確変大当りが発生しているにもかかわらず、１５ラウンドの通常大当りが発生したかのようにみせて、潜伏確変にする場合がある。なお、潜伏確変している場合でも、遊技盤の所定のＬＥＤ等を点灯させて、確変状態を遊技者に報知している場合もあるが、この場合には、遊技者は、遊技盤にあるＬＥＤ等の点灯状況を見て確変状態か否かを容易に知ることができる。しかし、確変状態か否かがわからない遊技性が面白いのに、ＬＥＤ等の点灯状況で確変状態を報知していたのでは、折角のゲーム性や演出も台無しになってしまうことになる。
【０００７】
上記問題を解決するため、従来では、確変状態なのか通常状態なのかを遊技者に一切報知しない確変非報知機という種の遊技機が提案されている。ただし、この確変非報知機でも、電源投入時には、確変状態であるのか通常状態であるのかを遊技者などに報知させる必要がある。というのは、例えば、朝一番の電源投入時に確変状態であるか否かがわからなければ、遊技ホールは低確率だと信じて遊技ホールを開店したときに、全台確変状態になっており不測の不利益を被るおそれもあるからである。また、逆に故意に遊技ホールが、朝一番の遊技機の稼動をあげるために遊技者有利の遊技状態を設定しおくこと（モーニングセット）をしていたとしても、第三者にはそれを知ることができないからである。電源瞬停により確率変動状態と遊技機の表示状態の不一致を解消し、モーニングセットが行われるのを防止する技術に下記特許文献１がある。
【特許文献１】特開２０００−１２６４２６号公報
【発明の開示】
【発明が解決しようとする課題】
【０００８】
ところで、一般的に、大当り遊技のラウンド中では、大当り遊技の当選確率（特別図柄が当り図柄で停止する確率、特別図柄の当選確率）は低確率になる。すると、遊技状態を電源投入時のみ報知してそれ以外の場合には遊技者やホールに報知しないという確変非報知機には、以下の問題が生じることになる。すなわち、電源投入時に確変状態であれば確変であることを報知しているが、大当り遊技が発生した場合の各ラウンド中は、上述したように、大当り遊技の当選確率（特別図柄が当り図柄で停止する確率）が低確率になるので、偶然に確変大当り遊技中に停電（瞬間停電（瞬停）は含まない）すると、大当り終了後の確変状態を報知できない。
【０００９】
つまり、前述のモーニングセット等の問題から電源投入時には確変状態であることを報知しなければならないが、確変大当り中に電断して、電源復帰した場合には、大当り終了後の確変状態を報知できないという問題がある。
【００１０】
また、遊技者の心理からしても、確変非報知機で、大当り中に電断して電源復帰した場合には、確変大当りだったのを通常大当りに降格させたのではないかという不信感を生じさせやすいという問題がある。
【００１１】
そこで、本発明は、遊技状態を電源投入時のみ報知してそれ以外の場合には遊技者やホールに報知しない確変非報知機において、確変大当り遊技中に電断しその後回復した場合にも、大当り終了後の遊技状態を報知することができる遊技機を提供することを目的とする。
【００１２】
また、本発明の他の目的は、確変非報知機において、確変大当り遊技中に電断しその後回復した場合に、確変大当りを通常大当りに降格させたのではないかという不信感を排除することができる遊技機を提供することを目的とする。
【課題を解決するための手段】
【００１３】
請求項１に記載の発明は、遊技の主要な制御を司る主制御手段と、前記主制御手段からの制御信号に基づいて遊技の演出の制御を司るサブ制御手段と、前記主制御手段及び前記サブ制御手段に対して電力供給する電源手段と、を有する遊技機であって、前記主制御手段は、遊技状態を報知させる遊技状態報知信号を前記サブ制御手段に送信する信号送信部を有し、前記サブ制御手段は、前記遊技状態報知信号の受信に基づいて遊技状態を報知する報知部を有し、前記電源手段の電源が投入されて前記電源手段から前記主制御手段に対して電力が供給される電源投入時、及び特別遊技中に前記電源手段から前記主制御手段に対して電力が供給されない電断状態が発生しかつ前記電断状態が解消した電断解消時には、前記信号送信部は前記報知部に遊技状態を報知させる遊技状態報知信号を送信し、前記報知部は前記遊技状態報知信号の受信に基づいて遊技状態を報知することを特徴とする。
【００１４】
請求項２に記載の発明は、請求項１に記載の遊技機において、前記主制御手段は、前記特別遊技が確変大当りであるか通常大当りであるかを示す本図柄を備え、特別遊技中に前記電源手段から前記主制御手段に対して電力が供給されない電断状態が発生しかつ前記電断状態が解消した電断解消時には、主制御手段は、前記本図柄に基づいて前記遊技状態を特定することを特徴とする。
【００１５】
請求項３記載の発明は、請求項２に記載の遊技機において、サブ制御手段は、前記電源手段から前記主制御手段又は前記サブ制御手段の一方に対する電力の供給が瞬間的に停止される瞬間停電状態を識別する瞬停識別部を有し、前記瞬停識別部により前記瞬間停電状態と識別された場合には、前記瞬間停電状態が解消しても前記報知部は遊技状態の報知をしないことを特徴とする。
【００１６】
請求項４に記載の発明は、請求項３に記載の遊技機において、前記信号送信部は、前記電源手段の電源投入時において前記遊技状態報知信号と共に電源投入識別信号を送信し、前記サブ制御手段は、前記電源投入識別信号を受信する受信部を有し、前記瞬停識別部は、前記受信部に前記電源投入識別信号が受信された状態で前記信号送信部から前記電源投入識別信号が送信された場合には、前記電源手段の電源投入時における前記報知部からの遊技状態の報知を中止させることを特徴とする。
【００１７】
請求項５に記載の発明は、請求項４に記載の遊技機において、前記サブ制御手段は、前記電源手段の電源投入時において前記受信部が電源投入識別信号を受信した場合に前記受信部に受信された前記電源投入識別信号の受信回数をカウントするカウンタ部と、前記カウンタ部のカウント値を記憶する記憶部と、を有することを特徴とする。
【００１８】
請求項６に記載の発明は、請求項５に記載の遊技機において、前記電源手段からの前記主制御手段に対する電力の供給が停止されたときから所定の時間が経過した場合には、前記カウンタ部は前記記憶部に記憶された前記電源投入識別信号の受信回数をゼロにすることを特徴とする。
【００１９】
請求項７に記載の発明は、請求項１乃至６のいずれか１項に記載の遊技機において、前記電源手段の電源が投入されて前記電源手段から前記主制御手段に対して電力が供給される電源投入時のみに遊技状態が確変状態であるか否かを報知し、電源投入時以外で遊技状態が確変状態である場合には、前記確変状態であることを報知しない確変非報知機であることを特徴とする。
【発明の効果】
【００２０】
請求項１に記載の発明によれば、電源手段の電源が投入されて電源手段から主制御手段及びサブ制御手段に対して電力が供給される電源投入時、及び特別遊技中に電源手段から主制御手段に対して電力が供給されない電断状態が発生しかつ電断状態が解消した電断解消時には、主制御手段の信号送信部からサブ制御手段の報知部に対して遊技状態を報知させる遊技状態報知信号が送信される。そして、報知部により、遊技状態報知信号の受信に基づいて遊技状態が報知される。
【００２１】
具体的には、遊技機に電力が供給されて作動するときと、遊技機に電力が供給されて作動した後に停電などの外的要因あるいは基板のノイズなどの内的要因により比較的長い時間にわたって一旦電力の供給が停止して電断状態となりその後復旧した場合には、現在の遊技状態が報知される。これにより、確変非報知機において、特別遊技への当選確率が高確率となる特別遊技（例えば、確変大当り遊技）中に電断しても、現在の遊技状態（確変大当り遊技の状態）が報知されるので、遊技者は現在の遊技状態と特別遊技終了後（確変大当り遊技終了後）の遊技状態を知ることができる。
【００２２】
なお、本明細書において、「電源手段の電源が投入され電源手段から主制御手段に対して電力が供給される場合」とは、遊技機に電力が初めて供給されて遊技機が作動する場合を意味する。
【００２３】
また、「電断状態」とは、例えば停電や基板のノイズなどが原因で発生し、電源手段から主制御手段へ電力の供給が停止されてから再供給されるまでの時間が、瞬停状態のときにおいて電源手段から主制御手段へ電力の供給が停止されてから再供給されるまでの時間と比較して長くなる場合の状態を意味し、例えば、電源手段から主制御手段等へ電力の供給が停止されてから再供給されるまでの時間が０．１秒以上の状態を意味する。
【００２４】
また、「瞬間停電状態」とは、一般に交流の半サイクルあるいは１サイクルの期間のみ停電する特殊な停電をいう。例えば、基板のノイズや不正行為などが原因で発生し、電源手段から主制御手段へ電力の供給が停止されてから再供給されるまでの時間が、電断状態のときにおいて電源手段から主制御手段へ電力の供給が停止されてから再供給されるまでの時間と比較して短くなる場合の状態を意味する。例えば、６０サイクルの地域であれば、１／１２０秒あるいは１／６０秒の期間のみ停電し、電源手段から主制御手段等へ電力の供給が停止されてから再供給されるまでの時間が１／６０秒以内の状態を意味する。
【００２５】
また、「特別遊技」とは、大当り遊技を意味し、具体的には、特別遊技終了後の遊技状態において特別遊技に当選する確率が高確率となる確変大当り遊技と、特別遊技終了後の遊技状態において特別遊技に当選する確率が低確率となる通常大当り遊技と、を意味する。
【００２６】
さらに、「確変状態」とは、例えば、特別遊技（例えば、大当り遊技）に当選する確率が高確率となる状態と低確率となる状態の２つの確率が設定されている場合に、特別遊技（例えば、大当り遊技）に当選する確率が高確率となる状態を意味する。このため、「特別遊技終了後の遊技状態が確変状態となる特別遊技」とは、確変大当り遊技の状態を意味する。
【００２７】
請求項２に記載の発明によれば、主制御手段は特別遊技が確変大当りであるか通常大当りであるかを示す本図柄を備えている。そして、特別遊技中に電源手段から主制御手段に対して電力が供給されない電断状態が発生し、かつ電断状態が解消した電断解消時には、主制御手段により本図柄に基づいて遊技状態が特定される。これにより、電断したときの遊技状態を主制御手段で記憶していなくても、本図柄の情報を参照するだけで電断したときの遊技状態を容易に特定することができる。
【００２８】
なお、本明細書では、「本図柄」とは、特別図柄の本図柄を意味するものである。
【００２９】
請求項３に記載の発明によれば、サブ制御手段は、電源手段から主制御手段又はサブ制御手段の一方に対する電力の供給が瞬間的に停止される瞬間停電状態を識別する瞬停識別部を有しており、瞬停識別部により瞬間停電状態と識別された場合には、瞬間停電状態が解消しても報知部は遊技状態を報知しない。
【００３０】
すなわち、電力の供給が停止しすぐに復旧するような瞬間停電状態の場合には、瞬間停電状態が解消しても、報知部により遊技状態が報知されない。このように、遊技者にも気付かないような瞬間停電状態のときには正常な状態へ復帰しても遊技状態を報知しないことにより、遊技者を無用に混乱させてしまうことを防止できる。すなわち、遊技者にも気付かないような瞬間停電状態となり直ぐに正常な状態に復帰しても、遊技者は、瞬間停電した事実を認識することがないので、遊技状態を報知する必要がない。この結果、遊技者に無用の気を使わせることなく、遊技にそのまま専念させることができる。
【００３１】
請求項４に記載の発明によれば、主制御手段の信号送信部は、電源手段の電源投入時において遊技状態報知信号と共に電源投入識別信号をサブ制御手段に対して送信する。そして、受信部に電源投入識別信号が受信された状態で信号送信部から電源投入識別信号が再度送信された場合には、瞬停識別部により電源手段の電源投入時における報知部からの遊技状態の報知が中止される。
【００３２】
換言すれば、受信部において電源投入識別信号を受信したことの履歴がない状態で遊技状態報知信号と電源投入識別信号を受信した場合には、遊技機が作動されたことになり、遊技機の現在の遊技状態を遊技者やホール関係者に知らせることができる。この結果、遊技者及びホール関係者の双方に不利益が生じることを防止できる。
【００３３】
一方、遊技機に電源を投入した後、遊技機の作動を停止させ、さらに電源を投入して遊技機を再度作動させた場合には、受信部には信号送信部から電源投入識別信号が送信されることになるが、このとき受信部には前回受信した電源投入識別信号の履歴が残っている。この場合には、遊技機の現在の遊技状態を報知させない。この結果、遊技状態を認識するために遊技機の電源投入後に遊技機の作動を故意に停止させるといった不正行為を抑制することができる。
【００３４】
請求項５に記載の発明によれば、電源手段の電源投入時において受信部が電源投入識別信号を受信した場合に受信部に受信された電源投入識別信号の受信回数がカウンタ部によりカウントされる。そして、カウンタ部のカウント値は記憶部により記憶される。これにより、電源投入識別信号の受信回数を履歴として容易に残すことができる。この結果、記憶部に記憶されたカウンタ部のカウント値を参照することにより、受信部における電源投入識別信号の受信の有無を容易に把握することができるため、電源手段の電源投入時における遊技状態の報知に関する制御が容易になる。
【００３５】
請求項６に記載の発明によれば、電源手段からの主制御手段に対する電力の供給が停止されたときから所定の時間が経過した場合に、カウンタ部により記憶部に記憶された電源投入識別信号の受信回数がゼロにされる。これにより、次回、電源手段による電源投入が行われたときに、報知部により遊技状態を報知することができる。
【００３６】
具体的には、仮に記憶部に記憶された電源投入識別信号の受信回数がリセットされないと、次に遊技機を作動させるときに遊技状態を報知させることができなくなり不都合となる。ところが、記憶部に記憶された電源投入識別信号の受信回数をリセットすることにより、次に遊技機を作動させるときに、遊技状態を報知させることができ、遊技状態を遊技者とホール関係者に知らせることができる。
【００３７】
請求項７に記載の発明によれば、遊技機は、電源手段の電源が投入され記電源手段から主制御手段に対して電力が供給される電源投入時のみに遊技状態が確変状態であるか否かを報知し、電源投入時以外で遊技状態が確変状態である場合には、確変状態であることを報知しない確変非報知機であることが好ましい。これにより、遊技者やホール関係者は、電源投入時以外で遊技状態が確変状態であっても、その事実を知ることができないため、遊技者は、遊技に関するゲーム性や演出などにより遊技状態を推測することになる。この結果、遊技に対する興趣を高めることができる。
【発明を実施するための最良の形態】
【００３８】
次に、本発明の第１実施形態に係る遊技機について、図面を参照して説明する。なお、本実施形態では本発明を弾球遊技機の一例であるパチンコ機に適用した構成を説明する。
【００３９】
図１及び図２に示すように、第１実施形態に係る遊技機であるパチンコ機（遊技機）１０の前面部には、主として、外枠１２と、内枠１４と、前面枠１６と、上皿部１８と、下皿部２０と、施錠装置２２と、発射ハンドル２４などが設けられている。
【００４０】
外枠１２は、木製の板状体を略長方形の額縁状に組立て固着したものである。内枠１４は、全体がブラスチック製で、外枠１２に対して開閉可能に軸支されている。また、内枠１４の右端中央には施錠装置２２が設けられている。
【００４１】
前面枠１６は、本発明の前面扉の一具体例を示すもので、パチンコ機１０の前面部全体の約２／３のサイズを占め、内枠１４の左端に開閉可能となるように軸支されている。また、前面枠１６は、全体がプラスチック製であり、遊技盤２６（図３参照）を前方から視認するべく、遊技盤２６に形成された遊技領域２８（図３参照）の形状に対応して略円形に形成された開口部３０を有している。また、前面枠１６の裏面には、ガラス板３２がガラス枠（図示省略）によって取り付けられている。そして、遊技者を基準とすれば、遊技盤２６に形成された遊技領域２８はガラス板３２の後方に位置するようになっている。なお、本実施形態では、ガラス板３２を前面枠１６の裏面側に取り付けた構成を例にとり説明したが、例えば、前面枠１６の前面側にガラス枠により取り付けてもよい。また、ガラス板３２に替えて、透明な樹脂板を前面枠１６に取り付けることができる。
【００４２】
また、図１及び図２に示すように、前面枠１６の左上方側及び右上方側には、メインスピーカ（図示省略）から出力された音声を前面枠１６の外部に導くための導音部３４がそれぞれ設けられている。各導音部３４は、円筒状の導音部本体３２と、導音部本体３６に形成された複数のスリット３８と、で構成されている。
【００４３】
また、図１及び図２に示すように、前面枠１６の下方側には、上皿部１８が設けられている。この上皿部１８には、演出ボタン４０と、球貸操作部４２と、がそれぞれ設けられている。
【００４４】
また、図１及び図２に示すように、上皿部１８の下方側には、下皿部２０が設けられている。また、下皿部２０の右下方側には、遊技球を発射させるための発射ハンドル２４が設けられている。この発射ハンドル２４には、発射レバー４４と、発射停止ボタン４６がそれぞれ設けられている。
【００４５】
また、図１及び図２に示すように、下皿部２０の左右下方側には、所定の効果音を出力するための各サブスピーカ４８がそれぞれ設けられている。
【００４６】
また、内枠１４には、遊技領域２８（図３参照）の形状に合致した開口部（図示省略）が形成されている。この内枠１４の内側面には、遊技盤２６（図３参照）が取り付けられる。これにより、遊技者は、遊技盤２６の遊技領域２８を内枠１４の開口部及び前面枠１６の開口部３０を通して視認することができる。
【００４７】
次に、遊技盤２６の表面構造について図３を参照して説明する。
【００４８】
遊技盤２６は、内枠１４に保持されるとともに、裏機構盤（図示省略）よりその背面側が覆われている。遊技盤２６には、遊技盤２６の表面に設けられた外レール５０と内レール５２とにより略円形状の遊技領域２８が形成されている。遊技領域２８の内部には、中央装置５４と、始動口５６Ｂを有する普通電動役物５６と、ワープ入球口５８と、多数の障害釘６０と、風車６３等と、がそれぞれ配設されている。
【００４９】
中央装置５４は、遊技領域２８の略中央部に配置されており、演出図柄表示装置６２と、センター役物６４と、ランプ装置６６と、を備えている。
【００５０】
演出図柄表示装置６２は、後述の主制御基板１０２（図４参照）やサブ制御基板１０６（図４参照）からの制御信号に基づいて表示制御されており、略長方形状の映像画面を有している。この映像画面上には、特別図柄の擬似図柄である擬似特別図柄（擬似図柄）が表示される。具体的には、演出図柄表示装置６２の映像画面上には、１又は複数の擬似特別図柄を所定の方向に次々と変動させながら表示した後、停止表示する擬似特別図柄表示領域が形成されている。すなわち、左擬似特別図柄（左擬似図柄）を表示する左擬似特別図柄表示領域、中央擬似特別図柄（中央擬似図柄）を表示する中央擬似特別図柄表示領域、及び右擬似特別図柄（右擬似図柄）を表示する右擬似特別図柄表示領域が、略横一列となる配置方向に沿って並んで形成されている（それぞれ図示省略）。各擬似特別図柄表示領域は、これらの表示領域の配置方向と略直交する方向（上下方向）に図柄変動方向が設定されており、その方向に複数の擬似特別図柄が順次表示されていく。
【００５１】
演出図柄表示装置６２は、遊技球が普通電動役物５６の始動口５６Ｂに入球することにより、その映像画面の表示領域に表示される各擬似特別図柄をそれぞれ変動させて停止表示させるものである。そして、例えば、擬似特別図柄が「７、７、７」の３桁同一図柄で揃って停止表示（確定表示）すると、後述の変動入賞装置８０に配設された後述の大入賞装置８４の大入賞口８６が開放される。本実施形態のパチンコ機１０では普通電動役物５６の始動口５６Ｂに遊技球が入球すると、各擬似特別図柄がそれぞれ変動され、擬似特別図柄が３桁同一図柄で揃うことにより、「大当り」という特定価値を付与するものである。
【００５２】
ここで、本実施形態のパチンコ機１０では、例えば、大当りとして３種類のものが予め設定されている。具体的には、「７、７、７」などの同一の奇数数字の擬似特別図柄が３桁揃うことにより成立する確変大当りがある。また、「８、８、８」などの同一の偶数数字の擬似特別図柄が３桁揃うことにより成立する通常大当りがある。また、「１、３、５」、「３、５、７」、「５、７、９」、「７、９、１」、「９、１、３」などの予め定められた奇数数字の擬似特別図柄が３桁揃うことにより成立する短ラウンド確変大当りがある。
【００５３】
確変大当り及び通常大当りは、比較的多くのラウンド数（例えば１５ラウンド）を有し、大入賞口８６の開放時間が約２６秒間である大当りである。このため、賞球数が比較的多くなる。なお、各大当りでは、大入賞口８６に所定数（例えば、１０個）の遊技球が入球するか、あるいは所定数（例えば、１０個）の遊技球が入球しなくても所定時間（例えば２６秒間）が経過したときに大入賞口８６が閉じられて１ラウンドが終了する。また、短ラウンド確変大当りは、確変大当り及び通常大当りよりも少ないラウンド数（例えば２ラウンド）を有し、大入賞口８６の開放時間が約０．２秒間である大当りである。このため、賞球数はほとんど発生しない。
【００５４】
また、上記各大当り以外の遊技状態である確率変動状態は、大当り（確変大当り、通常大当り、短ラウンド確変大当りの３種類の大当り意味する）に移行する確率が予め定められた高確率となる状態である。また、上記各大当り以外の遊技状態である開放時間延長状態は、普通電動役物５６の始動口５６Ｂの開放時間が通常よりも延長される状態である。例えば、通常の開放時間は、約０．１秒間であるのに対して、開放時間延長状態では、約４秒間に延長される。なお、普通電動役物は普通図柄に当選することにより開放する。
【００５５】
また、確変大当り及び短ラウンド確変大当りの後は、大当りに移行する確率が、通常遊技状態と比べ予め定められた高確率となる、特別図柄の確率変動状態になる。そして、次回大当りが発生するまでの間か、あるいは規定回数（例えば、１００００回）の特別図柄の変動表示が行われるまでの間、特別図柄及び普通図柄の変動時間が短縮され、かつ普通電動役物の開放延長機能が作動する。また、通常大当りの後は、大当りに移行する確率が通常遊技状態と同一の予め定められた低確率状態となるとともに、規定回数（例えば、１００回）だけ特別図柄及び普通図柄の変動時間が短縮され、かつ普通電動役物の開放延長機能が作動する時短遊技状態となる。
【００５６】
センター役物６４は、演出図柄表示装置６２の前面周辺部に突設して装着されている。センター役物６４は、可動する一対の翼片部６４Ａを有している。この翼片部６４Ａの可動によりワープ入球口５８の開口面積が変化する。
【００５７】
また、遊技領域の左下方側には、主制御基板１０２からの制御信号に基づいて本図柄（特別図柄の本図柄及び普通図柄の本図柄）を表示制御する７セグ表示基板（図柄表示装置）６８が配置されている。この７セグ表示基板６８は、特別図柄の本図柄を表示する７セグメント表示器７０と、４個の普通図柄保留表示ＬＥＤ７２と、４個の特別図柄保留表示ＬＥＤ７４と、普通図柄の本図柄を表示する２個の普通図柄表示ＬＥＤ７６と、を有している。なお、請求項２に係る発明で用いられる本図柄は、特別図柄の本図柄を意味するものである。
【００５８】
ここで、確変大当りした場合では、７セグメント表示器７０には、予め定められた図柄（例えば奇数の数字）が表示される。また、通常大当りした場合では、７セグメント表示器７０には、予め定められた別の図柄（例えば偶数の数字）が表示される。そして、各大当りのラウンド中では、７セグメント表示器７０にはその図柄が表示されており、後述するように大当り中に電断した場合には、主制御基板１０２はその本図柄に基づいて遊技状態を特定する。さらに、主制御基板１０２は、その特定した遊技状態に関する遊技状態報知信号を決定してサブ制御基板１０６に送信する。
【００５９】
また、演出図柄表示装置６２の左側には、普通図柄作動ゲート（遊技球通過ゲート）７８が配置されている。この普通図柄作動ゲート７８の内部には、ゲートスイッチ１２４（図４参照）が配設されている。これにより、遊技球が普通図柄作動ゲート７８を通過すると、ゲートスイッチ１２４が作動して、７セグ表示基板６８の普通図柄表示ＬＥＤ７６が変動表示される。
【００６０】
各普通図柄保留表示ＬＥＤ７２及び各特別図柄保留表示ＬＥＤ７４は、４個の丸形の赤色ＬＥＤで構成されており、７セグメント表示器７０の左右両側に近接して配置されている。これは、普通図柄作動ゲート７８を通過した遊技球の数を４個まで普通図柄の保留とし、通過ごとに順次点灯しシフト表示するものである。また、普通電動役物５６の始動口５６Ｂに入球した遊技球の数も４個まで特別図柄の保留とし、入球ごとに順次点灯しシフト表示するものである。７セグメント表示器７０の変動表示が開始するたびに、未始動回数が消化され、１個の特別図柄保留表示ＬＥＤ７４は消灯される。また、普通図柄も普通図柄表示ＬＥＤ７６の変動表示が開始するたびに、未始動回数が消化され、１個の普通図柄保留表示ＬＥＤ７２が消灯される。そして、７セグメント表示器７０に予め定められた大当り図柄が停止表示されると大当りが発生し、後述の大入賞口８６が開放状態となる。また、２個の普通図柄表示ＬＥＤ７６が予め定められた表示態様（当り図柄）で停止表示されると、普通図柄当りが発生し、普通電動役物５６の始動口５６Ｂが開放状態となる。なお、７セグメント表示器７０にて表示される特別図柄の本図柄と、演出図柄表示装置６２にて表示される特別図柄の擬似図柄とは、同一の遊技結果（抽選結果）を示すものである。
【００６１】
普通電動役物５６の始動口５６Ｂは、演出図柄表示装置６２の下方に離れて配置されているものであり、いわゆるチューリップ式で一対の翼片部５６Ａが開閉するように形成されている。その内部には、遊技球の通過を検知する始動口スイッチ１２０（図４参照）と、翼片部５６Ａを作動させるための普通電動役物ソレノイド１３０（図４参照）と、がそれぞれ備えられている。この一対の翼片部５６Ａが左右に開くと始動口５６Ｂの開放面積が大きくなって遊技球の入球可能性が大きくなる開放状態となり、一対の翼片部５６Ａが閉じその離間距離が小さくなると始動口５６Ｂの開放面積が小さくなって遊技球の入球の可能性が小さくなる通常状態となる。
【００６２】
変動入賞装置８０は、普通電動役物５６の下方に配置されており、基板８２と、大入賞装置８４と、を備えている。ここで、大入賞装置８４は、略中央に配置されており、帯状に開口された大入賞口８６と、この大入賞口８６を開放又は閉鎖する開閉板８８と、この開閉板８８を開閉するための大入賞口ソレノイド１３２（図４参照）と、入賞球を検知するカウントスイッチ１２６（図４参照）と、を備えている。
【００６３】
また、中央装置５４の左側下方部には、風車６３が配置されている。さらに、遊技領域の左側下方部及び右側下方には、一対のサイドランプ９０がそれぞれ配置されている。
【００６４】
また、遊技盤２６の下方にはアウト口９２が設けられており、このアウト口９２の下部にはバック球防止部材９４が設けられている。このバック球防止部材９４は、遊技領域２８に到達せず戻ってきた遊技球が再び発射位置に戻ることを防止している。また、内レール５２の先端部には、ファール球防止部材９６が取り付けられている。
【００６５】
次に、パチンコ機１０を構成する電子制御装置１００について説明する。
【００６６】
図４乃至図７に示すように、電子制御装置１００は、主制御基板（主制御手段）１０２と、払出制御基板１０４と、サブ制御基板（サブ制御手段）１０６と、発射制御基板１０８と、を備えている。
【００６７】
主制御基板１０２は、ＣＰＵ１０２Ａと、ＲＯＭ１０２Ｂ（ＣＰＵ内蔵ＲＯＭ）と、信号送信部１０２Ｃと、を備えている。また、主制御基板１０２は、中継端子板１１８を介して、始動口スイッチ１２０と、大入賞口スイッチ１２２と、ゲートスイッチ１２４と、カウントスイッチ１２６と、にそれぞれ電気的に接続されている。
【００６８】
また、主制御基板１０２のＣＰＵ１０２Ａは、ＲＯＭ１０２Ｂに記憶されたデータに基づいて、後述の普通電動役物ソレノイド１３０、後述の大入賞口ソレノイド１３２、後述の図柄表示装置１３４及びサブ制御基板１０６をそれぞれ制御する。また、主制御基板１０２のＣＰＵ１０２Ａは、遊技全体を司り主として当否判定などの遊技状態を判断するものであり、この判断した遊技状態に沿った遊技環境（演出態様）を実現させるように制御するサブ制御基板１０６及び払出制御基板１０４を直接的に制御する。また、主制御基板１０２のＣＰＵ１０２Ａは、演出表示基板１１０、アンプ基板１１２、装飾駆動基板１１４及び演出ボタン基板１１６をサブ制御基板１０６を介して間接的に制御する。
【００６９】
また、主制御基板１０２のＲＯＭ１０２Ｂには、ＣＰＵ１０２Ａにより実行される遊技全体の制御を実現するためのプログラムが記憶されている。
【００７０】
また、主制御基板１０２の信号送信部１０２Ｃは、パチンコ機１０の電源投入時において、後述の電源基板（電源手段）１７６から主制御基板１０２及びサブ制御基板１０６に対して電力が供給されると、サブ制御基板１０６に対して遊技状態を報知させるための遊技状態報知信号を送信する。ここで、遊技状態とは、現在行われている遊技の状態のことであり、例えば、大当り確率が高確率となる確変状態や大当り確率が低確率である通常状態などを意味する。なお、サブ制御基板１０６の報知部１０６Ｄは、主制御基板１０２の信号送信部１０２Ｃから送信された遊技状態報知信号を受信することにより、遊技状態を報知する。
【００７１】
また、主制御基板１０２の信号送信部１０２Ｃは、確変大当り遊技中に、停電や各基板のノイズなどにより比較的長い時間にわたって、電源基板１７６から主制御基板１０２及びサブ制御基板１０６に対する電力の供給が停止されて電断状態となり、その後、電断状態が解消して正常の状態（電力が供給されている状態）に復帰したときに、サブ制御基板１０６に対して遊技状態を報知させるための遊技状態報知信号を送信する。なお、サブ制御基板１０６の報知部１０６Ｄは、主制御基板１０２の信号送信部１０２Ｃから送信された遊技状態報知信号を受信することにより、遊技状態を報知する。
【００７２】
また、主制御基板１０２の信号送信部１０２Ｃは、電源基板１７６の電源投入時において遊技状態報知信号と共に電源投入識別信号を送信する。すなわち、電断状態の解消時には主制御基板１０２の信号送信部１０２Ｃから遊技状態報知信号のみが送信されるが、電源基板１７６の電源投入時には主制御基板１０２の信号送信部１０２Ｃから遊技状態報知信号と電源投入識別信号の両方が送信される。なお、上述した電源投入識別信号は、サブ制御基板１０６の受信部１０６Ｃで受信される。
【００７３】
また、サブ制御基板１０６の瞬停識別部１０６Ｆは、各基板のノイズや不正行為などにより比較的短い時間だけ、電源基板１７６から主制御基板１０２又はサブ制御基板１０６に対する電力の供給が瞬間的に停止されて瞬間停電状態となったことを識別する機能を備えている。
【００７４】
ここで、通常の電断状態から電源投入される場合と瞬間停電状態から電源投入される場合との違いを瞬停識別部はどのように判断するのかを説明する。
【００７５】
通常の電断であれば、主制御基板１０２とサブ制御基板１０６がほぼ同時に電断する。一方、瞬停の場合は、主制御基板１０２とサブ制御基板１０６の電源状態の違いから３種類に大別される。すなわち、主制御基板１０２のみが瞬停し、サブ制御基板１０６は電源ＯＮの状態となる場合（第１の場合）がある。また、主制御基板１０２とサブ制御基板１０６がほぼ同時に瞬停する場合（第２の場合）がある。さらに、サブ制御基板１０６のみが瞬停し、主制御基板１０２は電源ＯＮの状態である場合(第３の場合)がある。
【００７６】
第１の場合は、主制御基板１０２は瞬停したので、電源投入識別信号をサブ制御基板１０６へ送信する。しかし、サブ制御基板１０６は瞬停していないので既に電源投入識別信号を受信したことを記憶した状態で再度、電源投入識別信号を受信することになる。したがって、サブ制御基板１０６の瞬停識別部１０６Ｆは、主制御基板１０２又はサブ制御基板１０６の瞬停と判断する。
【００７７】
第２の場合は、主制御基板１０２とサブ制御基板１０６がほぼ同時に瞬停する。主制御基板１０２は瞬停したので、電源投入識別信号をサブ制御基板１０６へ送信する。このとき、サブ制御基板１０６も瞬停するが、既に電源投入識別信号を受信したことをバックアップした状態で再度、電源投入識別信号を受信することになる。したがって、サブ制御基板１０６の瞬停識別部１０６Ｆは、主制御基板１０２又はサブ制御基板１０６の瞬停と判断する。
【００７８】
第３の場合は、サブ制御基板１０６のみが瞬停したので、主基板１０２は電源投入識別信号をサブ制御基板１０６へ送信しない。遊技状態報知信号も送信しない。サブ制御基板１０６の瞬停識別部１０６Ｆはサブ制御基板１０６に瞬停があったことを識別することはできないが、電源投入時に送信される遊技状態報知信号も受信しないので、遊技状態を報知することもない。
【００７９】
また、主制御基板１０２は、中継端子板１２８を介して、普通電動役物ソレノイド１３０と、大入賞口ソレノイド１３２と、図柄表示装置１３４と、にそれぞれ電気的に接続されている。なお、７セグ表示基板６８は、図柄表示装置１３４の一実施形態である。
【００８０】
払出制御基板１０４は、中継端子板１３６を介して、ガラス枠スイッチ１３８と、外部タンクスイッチ１４０と、タンクスイッチ１４２と、にそれぞれ電気的に接続されている。また、払出制御基板１０４は、中継端子板１４４を介して、エラーＬＥＤ１４６に電気的に接続されている。また、払出制御基板１０４は、下皿満タンスイッチ１４８に電気的に接続されている。また、払出制御基板１０４は、中継端子板１５０を介して、球貸表示基板１５２と、球貸装置１５４と、にそれぞれ電気的に接続されている。なお、球貸表示基板１５２には、球貸スイッチ１５６と、返却スイッチ１５８とがそれぞれ電気的に接続されている。また、払出制御基板１０４は、中継端子板１６０を介して、払出モータ１６２と払出スイッチ１６４とにそれぞれ電気的に接続されている。さらに、払出制御基板１０４は、主制御基板１０２と発射制御基板１０８とにそれぞれ電気的に接続されている。
【００８１】
図４及び図５に示すように、サブ制御基板１０６は、演出表示基板１１０と、アンプ基板１１２と、装飾駆動基板１１４と、演出ボタン基板１１６と、にそれぞれ電気的に接続されている。
【００８２】
また、図４及び図５に示すように、サブ制御基板１０６は、主制御基板１０２からの制御信号に基づいて遊技の演出の制御を司るものである。また、サブ制御基板１０６は、主制御基板１０２からの制御信号を受けて演出表示基板１１０、アンプ基板１１２、装飾駆動基板１１４及び演出ボタン基板１１６などの各基板を制御するＣＰＵ１０６Ａと、各基板の制御に必要なデータ（特に遊技の装飾に関する情報）及び主制御基板１０２から受信部１０６Ｃに送信された電源投入識別信号の受信回数を記憶するＲＡＭ（記憶部）１０６Ｂと、主制御基板１０２の信号送信部１０２Ｃから送信された遊技状態報知信号及び電源投入識別信号をそれぞれ受信する受信部１０６Ｃと、受信部１０６Ｃで受信された遊技状態報知信号に基づいて遊技状態を報知する報知部１０６Ｄと、受信部１０６Ｄに受信された電源投入識別信号の受信回数をカウントするカウンタ部１０６Ｅと、を備えている。
【００８３】
また、上記したＣＰＵ１０６Ａは、電源基板１７６の電源がＯＦＦにされ電源基板１７６からサブ制御基板１０６に対する電力の供給が停止されたときからの時間を計測するタイマを内蔵している。
【００８４】
また、報知部１０６Ｄは、上述したように、電源基板１７６からの電源投入時と、電断状態が解消して正常の状態（電力が供給されている状態）に復帰したときに、遊技状態報知信号の受信を受けて、遊技状態を報知する。ところで、受信部１０６Ｃで既に電源投入識別信号が受信されている状態でさらに信号送信部１０２Ｃから送信された電源投入識別信号を受信した場合には、たとえ遊技状態報知信号を受信しても、遊技状態は報知されない。
【００８５】
また、報知部１０６Ｄは、電源基板１７６からの電源投入の後、各基板のノイズや不正行為などにより瞬間停電状態となり、電源基板１７６から主制御基板１０２のみ、あるいは主制御基板１０２及びサブ制御基板１０６への電力の供給が瞬間的に停止され、その後、直ちに電力の供給が再開された場合には、瞬停識別部１０６Ｆにより制御されて遊技状態を報知しない。なお、報知部１０６Ｄに遊技状態を報知させるためのプログラムは、報知部１０６Ｄに格納されていてもよいし、ＲＡＭ１０６Ｂに格納されていてもよい。
【００８６】
ここで、大当り中以外に電断した場合には、現在の遊技状態を報知する。現在の遊技状態が確変中であるか低確中であるかは、主制御基板１０２が記憶している。大当り中以外に電断した後に電源復帰した場合には、主制御基板が現在の遊技状態を特定して遊技状態報知信号としてサブ制御基板１０６に送信する。
【００８７】
一方、大当り中に電断した場合について説明する。一般に大当り中は、低確率状態である。かりに確変大当りに当選したとしても、確変大当り中は特別図柄の抽選確率は低確率状態となる。これは、大当り中は、当否抽選することができないことによるものである。この大当り中に電断し電源復帰した場合には、主制御基板１０２が、その時点の遊技状態を報知すれば低確率状態を報知することになる。これでは、モーニングセット等の問題が生じる。そこで、大当り中に電断して電源復帰した場合に、主制御基板１０２は特別図柄の本図柄、つまり、例えば７セグメント表示器７０に基づいて大当り終了後の遊技状態を特定する。そして、遊技状態報知信号によりサブ制御基板１０６に送信する。
【００８８】
ここで、報知部１０６Ｄによる遊技状態の報知方法の具体例について説明する。図１３及び図１４に示すように、確変大当り遊技であれば、演出表示装置１６６に遊技状態を示す特定文字（例えば、図１３中の「大当り終了後は、確変状態に移行します。」や図１４中の「大当り図柄は７７７であり、確変大当りです。」など）を表示する場合がある。また、その他には、演出表示装置１６に変動表示される特別図柄の背景の色を特定色（例えば、赤色や黄色などの遊技者の視覚に訴える派手な色）に着色する場合もある。
【００８９】
また、他の遊技状態の報知方法として、遊技盤２８内にある特定のＬＥＤ・ランプのみを点灯（または点滅）させる方法もある。さらには、遊技者には判別不可能とし遊技ホールの作業者や警察等の第三者には判別可能とするために、遊技盤の裏についているサブ制御基板１０６上に「確変中」や「確変大当り中」と記載された特定のＬＥＤ・ランプのみを点灯（または点滅）させる方法もある。
【００９０】
また、カウンタ部１０６Ｅは、受信部１０６Ｃに受信された電源投入識別信号の受信回数をカウントする。なお、ＲＡＭ１０６Ｂには、このカウンタ部１０６Ｅのカウント値が記憶される。また、カウンタ部１０６Ｅは、パチンコ機１０の作動が停止され電源基板１７６から主制御基板１０２及びサブ制御基板１０６に対する電力の供給が停止されたときから所定の時間が経過した場合に、ＲＡＭ１０６Ｂに記憶された電源投入識別信号の受信回数をゼロに（リセット）する機能を有している。
【００９１】
また、図５に示すように、演出表示基板１１０には、演出表示装置１６６（６２）と、演出表示ＲＯＭ１６８と、がそれぞれ電気的に接続されている。この演出表示ＲＯＭ１６８には、演出図柄表示装置６２に変動表示される擬似特別図柄のデータが記憶されている。なお、演出図柄表示装置６２は、演出表示装置１６６の一実施形態である。
【００９２】
また、図５に示すように、アンプ基板１１２には、所定の効果音を出力する各種スピーカ１７０（４８）が電気的に接続されている。なお、サブスピーカ４８は、各種スピーカ１７０の一実施形態である。
【００９３】
また、装飾駆動基板１１４には、各種ＬＥＤ・ランプ１７２（６６）が電気的に接続されている。また、装飾駆動基板１１４は、サブ制御基板１０６のＲＡＭ１０６Ｂに記憶された情報に基づく指令を受けて遊技の装飾に関する制御を行うものである。また、演出ボタン基板１７８には、操作スイッチ１７４（４０）が電気的に接続されている。なお、ランプ装置６６は、各種ＬＥＤ・ランプ１７２の一実施形態である。また、演出ボタン４０は、操作スイッチ１７４の一実施形態である。
【００９４】
また、図６に示すように、主制御基板１０２、サブ制御基板１０６、払出制御基板１０４及び発射制御基板１０８には、各基板１０２、１０４、１０６、１０８に電力をそれぞれ供給するための電源基板（電源手段）１７６が接続されている。
【００９５】
また、図７に示すように、発射制御基板１０８には、発射駆動基板１７８を介して、発射モータ１８０と、発射停止スイッチ１８２（６４）と、タッチスイッチ１８４とがそれぞれ電気的に接続されている。また、発射制御基板１０８には、球送りソレノイド１８６が電気的に接続されている。
【００９６】
次に、本実施形態のパチンコ機１０の作用について、フローチャートに基づいて説明する。
【００９７】
先ず、電源基板１７６の電源投入（ＯＮ）時の主制御基板１０２における処理（電源投入時処理）について説明する。
【００９８】
図８に示すように、電源基板１７６の電源投入がされて電源基板１７６から主制御基板１０２に対して電力が供給されたか否かが主制御基板１０２のＣＰＵ１０２Ａにより判断される（Ｓ１００）。電源基板１７６の電源投入がされて電源基板１７６から主制御基板１０２に対して電力が供給されたと判断されると（Ｓ１００：ＹＥＳ）、主制御基板１０２の信号送信部１０２Ｃから遊技状態報知信号と電源投入識別信号がサブ制御基板１０６に対してそれぞれ送信される（Ｓ１１０）。サブ制御基板１０６に対して送信（出力）された遊技状態報知信号と電源投入識別信号は、サブ制御基板１０６の受信部１０６Ｃで受信される。
【００９９】
次に、電源基板１７６の電源投入（ＯＮ）時のサブ制御基板１０６における処理（電源投入時処理）について説明する。
【０１００】
図９に示すように、電源基板１７６の電源投入がされた場合（Ｓ２００：ＹＥＳ）には、主制御基板１０２の信号送信部１０２Ｃから送信された遊技状態報知信号と電源投入識別信号が受信部１０６Ｃでそれぞれ受信される（Ｓ２１０）。
【０１０１】
次に、サブ制御基板１０６の報知部１０６Ｄにより電源投入識別信号の受信回数に関するカウンタ部１０６Ｅのカウント値がゼロ（０）であるか否かが判断される（Ｓ２２０）。カウンタ部１０６Ｅのカウント値がゼロ（０）であると判断されると（Ｓ２２０：ＹＥＳ）、不正行為などではないので、サブ制御基板１０６の報知部１０６Ｄにより判断されて現在の遊技状態が報知される（Ｓ２３０）。なお、遊技状態の報知方法については、上述した通りである。
【０１０２】
現在の遊技状態が報知されると、カウンタ部１０６Ｅのカウント値が０から１になり、このカウント値がサブ制御基板１０６のＲＡＭ１０６Ｂに記憶される（Ｓ２４０）。
【０１０３】
一方、カウンタ部１０６Ｅのカウント値がゼロ（０）でないと判断されると（Ｓ２２０：ＮＯ）、２度目以降の電源投入識別信号の受信となるので、不正行為の蓋然性が高くなり、サブ制御基板１０６の報知部１０６Ｄによる現在の遊技状態の報知はされない（Ｓ２５０）。
【０１０４】
これにより、現在の遊技状態を知るために、パチンコ機１０の作動を一旦停止させ、パチンコ機１０の作動を再度開始させるような不正行為が行われた場合には、サブ制御基板１０６の報知部１０６Ｄは現在の遊技状態を報知しない。つまり、パチンコ機１０の作動を再度開始させる場合には、主制御基板１０２の信号送信部１０２Ｃからサブ制御基板１０６の受信部１０６Ｃに電源投入識別信号を再度送信することになる。しかし、この場合、サブ制御基板１０６のＲＡＭ１０６Ｂに記憶されたカウント値は既に１となっており、主制御基板１０２からの電源投入識別信号を再度受信しても現在の遊技状態を報知しない（Ｓ２５０）。
【０１０５】
以上のように、受信部１０６Ｃにおいて電源投入識別信号を受信したことの履歴がない状態で遊技状態報知信号と電源投入識別信号を受信した場合には、パチンコ機１０が作動されたことになり、パチンコ機１０の現在の遊技状態を遊技者やホール関係者に知らせることができる。この結果、遊技者及びホール関係者の双方に不利益が生じることを防止できる。
【０１０６】
一方、パチンコ機１０に電源を投入した後、パチンコ機１０の作動を停止させ、さらに電源を投入してパチンコ機１０を再度作動させた場合には、サブ制御基板１０６の受信部１０６Ｃには主制御基板１０２の信号送信部１０２Ｃから電源投入識別信号が送信されることになるが、このとき受信部１０６Ｃには前回受信した電源投入識別信号の履歴が残っている。この場合には、パチンコ機１０の現在の遊技状態を報知させない。この結果、遊技状態を認識するためにパチンコ機１０の電源投入後にパチンコ機１０の作動を故意に停止させるといった不正行為を抑制することができる。
【０１０７】
特に、電源基板１７６からの電源投入時において受信部１０６Ｃが電源投入識別信号を受信した場合に、受信部１０６Ｃに受信された電源投入識別信号の受信回数がカウンタ部１０６Ｅによりカウントされる。そして、カウンタ部１０６Ｅのカウント値はＲＡＭ１０６Ｂにより記憶される。これにより、電源投入識別信号の受信回数を履歴として容易に残すことができる。この結果、ＲＡＭ１０６Ｂに記憶されたカウンタ部１０６Ｅのカウント値を参照することにより、受信部１０６Ｃにおける電源投入識別信号の受信の有無を容易に把握することができるため、電源基板１７６の電源投入時における遊技状態の報知に関する制御が容易になる。
【０１０８】
次に、確変大当りの遊技中に電源基板１７６から主制御基板１０２及びサブ制御基板１０６への電力の供給が停止され、その後、電源が復帰して電力の供給が再開された場合の主制御基板１０２における電断状態回復時処理について説明する。
【０１０９】
図１０に示すように、確変大当りの遊技中に電源基板１７６から主制御基板１０２及びサブ制御基板１０６への電力の供給が停止され、その後、電源が復帰して電力の供給が再開されたか否かが主制御基板１０２のＣＰＵ１０２Ａにより判断される（Ｓ３００）。ここで、主制御基板１０２のＣＰＵ１０２Ａでは、主制御基板１０２及びサブ制御基板１０６への電力の供給が停止されてから電源が復帰して電力の供給が再開されるまでの時間が０．１秒以上であれば、電断状態であると判断される。逆に、主制御基板１０２のＣＰＵ１０２Ａでは、主制御基板１０２及びサブ制御基板１０６への電力の供給が停止されてから電源が復帰して電力の供給が再開されるまでの時間が、交流の１サイクル（例えば１／６０秒）以内であれば、瞬停状態であると判断される。電断状態であると判断されかつ電源が復帰して電断状態が解消した場合（Ｓ３００：ＹＥＳ）には、主制御基板１０２の信号送信部１０２Ｃから遊技状態報知信号のみがサブ制御基板１０６に対して送信される（Ｓ３１０）。このとき、電断投入時ではないので、電源投入識別信号は送信されない。サブ制御基板１０６に対して送信（出力）された遊技状態報知信号は、サブ制御基板１０６の受信部１０６Ｃで受信される。なお、瞬停状態であると判断された場合には、電源が復帰して瞬停状態が解消しても、主制御基板１０２の信号送信部１０２Ｃから遊技状態報知信号がサブ制御基板１０６に対して送信されることはない。
【０１１０】
次に、確変大当りの遊技中に電源基板１７６から主制御基板１０２及びサブ制御基板１０６への電力の供給が停止され、その後、電源が復帰して電力の供給が再開された場合のサブ制御基板１０６における電断状態回復時処理について説明する。
【０１１１】
図１１に示すように、確変大当りの遊技中に電断状態が発生したがその後電源が復帰して電断状態が回復したと判断された場合（Ｓ４００：ＹＥＳ）には、主制御基板１０２の信号送信部１０２Ｃから送信された遊技状態報知信号が受信部１０６Ｃで受信される（Ｓ４１０）。このとき、主制御基板１０２の信号送信部１０２Ｃから電源投入識別信号が送信されることはないので、電源投入識別信号は受信部１０６Ｃで再度受信されることはない。このため、電源投入時に電源投入識別信号を既に受信している場合でも、受信回数に関係なく、上述したような態様で遊技状態が報知され得ることになる。
【０１１２】
次に、主制御基板１０２の信号送信部１０２Ｃから送信された遊技状態報知信号が受信部１０６Ｃで受信されると（Ｓ４１０）、現在の遊技状態が報知される（Ｓ４２０）。具体的には、上述したように、確変大当り遊技であれば、演出表示装置１６６に遊技状態を示す特定文字（例えば、図１３中の「大当り終了後は、確変状態に移行します。」や図１４中の「大当り図柄は７７７であり、確変大当りです。」など）を表示する場合などがある。
【０１１３】
なお、電断状態以外の瞬停状態であると判断された場合（Ｓ４００：ＮＯ）には、電源が復帰して瞬停状態が解消しても、主制御基板１０２の信号送信部１０２Ｃから遊技状態報知信号がサブ制御基板１０６に対して送信されることはないので、現在の遊技状態が報知されることはない（Ｓ４３０）。
【０１１４】
以上のように、確変非報知機において、大当り遊技への当選確率が高確率となる確変大当り遊技中に電断しても、確変大当り遊技という遊技状態が報知されるので、遊技者は、現在の遊技状態である確変大当り遊技と確変大当り遊技後の遊技状態を知ることができる。
【０１１５】
また、電力の供給が停止しすぐに復旧するような瞬間停電状態の場合には、瞬間停電状態が解消しても、報知部１０６Ｄにより遊技状態が報知されない。このように、遊技者にも気付かないような瞬間停電状態のときには正常な状態へ復帰しても遊技状態を報知しないことにより、遊技者を無用に混乱させてしまうことを防止できる。すなわち、遊技者にも気付かないような瞬間停電状態となり直ぐに正常な状態に復帰しても、遊技者は、瞬間停電した事実を認識することがないので、遊技状態を報知する必要がない。この結果、遊技者に無用の気を使わせることなく、遊技にそのまま専念させることができる。
【０１１６】
次に、電源基板１７６の電源停止（ＯＦＦ）時のサブ制御基板１０６における処理（電源オフ時処理）について説明する。
【０１１７】
図１２に示すように、電源基板１７６の電源がＯＦＦにされた場合（Ｓ５００：ＹＥＳ）には、電源基板１７６の電源がＯＦＦにされ電源基板１７６からサブ制御基板１０６に対する電力の供給が停止されたときから、所定時間（例えば、約２秒）経過したか否かがサブ制御基板１０６のＣＰＵ１０６Ａにより判断される（Ｓ５１０）。
【０１１８】
サブ制御基板１０６のＣＰＵ１０６Ａにより所定時間（例えば、約２秒）経過したと判断された場合には（Ｓ５１０：ＹＥＳ）、サブ制御基板１０６のカウンタ部１０６ＥによりＲＡＭ１０６Ｂに記憶された電源投入識別信号の受信回数がゼロに（リセット）される（Ｓ５２０）。
【０１１９】
なお、このサブ制御基板１０６にバックアップ電源を搭載することにより、電源基板１７６からの電源の供給が停止しても、所定時間（例えば、数分間）はバックアップ電源によりサブ制御基板１０６のＲＡＭ１０６Ｂの内容がバックアップされる。したがって、電源基板１７６から主制御基板１０２とサブ制御基板１０６に対する電源の供給が同時に停止しても、数分間はサブ制御基板１０６のＲＡＭ１０６Ｂの内容がバックアップされる。電源の供給停止が所定時間（例えば、約２秒）を超える電源断であれば、バックアップ電源があることによりカウント値が０にリセットされる。
【０１２０】
以上のように、電源基板１７６からの主制御基板１０２及びサブ制御基板１０６に対する電力の供給が停止されたときから所定の時間が経過した場合には、カウンタ部１０６ＥによりＲＡＭ１０６Ｂに記憶された電源投入識別信号の受信回数がゼロにされる。これにより、次回、電源基板１７６による電源投入が行われたときに、報知部１０６Ｄにより遊技状態を報知することができる。
【０１２１】
具体的には、仮にＲＡＭ１０６Ｂに記憶された電源投入識別信号の受信回数がリセットされないと、次にパチンコ機１０を作動させるときに遊技状態を報知させることができなくなり不都合となる。ところが、ＲＡＭ１０６Ｂに記憶された電源投入識別信号の受信回数をリセットすることにより、次にパチンコ機１０を作動させるときに、遊技状態を報知させることができ、朝一番の電源投入時などにはホール側の作業者や警察等の第三者に確変状態か否かの遊技状態を報知することができる。
【０１２２】
なお、上述したように、電源基板１７６からサブ制御基板１０６に電力が供給されない場合でも、バックアップ電源が作動することにより、ＲＡＭ１０６Ｂに記憶された電源投入識別信号の受信回数をゼロにすることができる。
【図面の簡単な説明】
【０１２３】
【図１】本発明の第１実施形態に係る遊技機の正面図である。
【図２】本発明の第１実施形態に係る遊技機の側面図である。
【図３】本発明の第１実施形態に係る遊技機の遊技盤の正面図である。
【図４】本発明の第１実施形態に係る遊技機の電子制御装置の一部の構成を示すブロック図である。
【図５】本発明の第１実施形態に係る遊技機の電子制御装置を構成するサブ制御基板を説明するための説明図である。
【図６】本発明の第１実施形態に係る遊技機の電子制御装置における電力の供給の流れを説明するための説明図である。
【図７】本発明の第１実施形態に係る遊技機の電子制御装置を構成する発射制御基板を説明するための説明図である。
【図８】本発明の第１実施形態に係る遊技機を構成する電源手段の電源投入時の主制御手段における処理（電源投入時処理）を示したフローチャートである。
【図９】本発明の第１実施形態に係る遊技機を構成する電源手段の電源投入時のサブ制御手段における処理（電源投入時処理）を示したフローチャートである。
【図１０】本発明の第１実施形態に係る遊技機を構成する主制御手段における電断状態回復時処理を示したフローチャートである。
【図１１】本発明の第１実施形態に係る遊技機を構成するサブ制御手段における電断状態回復時処理を示したフローチャートである。
【図１２】電源手段の電源停止時のサブ制御手段における処理（電源オフ時処理）を示したフローチャートである。
【図１３】本発明の第１実施形態に係る遊技機を構成する演出図柄表示装置における遊技状態の表示態様の一例を示す説明図である。
【図１４】本発明の第１実施形態に係る遊技機を構成する演出図柄表示装置における遊技状態の表示態様の一例を示す説明図である。
【符号の説明】
【０１２４】
１０        パチンコ機（遊技機）
１０２      主制御基板（主制御手段）
１０２Ｃ    信号送信部
１０６      サブ制御基板（サブ制御手段）
１０６Ｂ    ＲＡＭ（記憶部）
１０６Ｃ    受信部
１０６Ｄ    報知部
１０６Ｅ    カウンタ部
１０６Ｆ    瞬停識別部
１７６      電源基板（電源手段）
【図１】
2008043372.tif 000003
【図２】
2008043372.tif 000004
【図３】
2008043372.tif 000005
【図４】
2008043372.tif 000006
【図５】
2008043372.tif 000007
【図６】
2008043372.tif 000008
【図７】
2008043372.tif 000009
【図８】
2008043372.tif 000010
【図９】
2008043372.tif 000011
【図１０】
2008043372.tif 000012
【図１１】
2008043372.tif 000013
【図１２】
2008043372.tif 000014
【図１３】
2008043372.tif 000015
【図１４】
2008043372.tif 000016